(57)【要約】【課題】回転軸の所定の軸段部に組み込まれた転がり軸受けを締着した後の緩み止め効果が十分に発揮され、その上、回転軸においてその回転軸の軸心と直角な面内にあって工具等の組み込み基準面となる軸段部の側面のスラスト方向への振れをサブμｍオーダーに押えることができる転がり軸受け用緩み止めナット、及び、そのナットを用いたスリッター装置を提供する。【解決手段】緩み止めナット本体２の外周面６側より内周面５側に延びて内周面５を突き抜けるスリット７を円周方向に複数個設けることにより各スリット７の幅方向の両側に枠板状の連結部を形成し、押し側連結部８を変形可能な肉厚とし、自由側連結部９は押し側連結部８より厚肉とし、自由側連結部９に押しねじ１２を設ける。【選択図】          図２
2004169868.tif 000002
【特許請求の範囲】
【請求項１】
内周面に雌ねじが設けられている中空状円板の一方の側面が押し付け側側面とされ、他方の側面が自由側側面とされている緩み止めナット本体からなる転がり軸受け用緩み止めナットにおいて、前記緩み止めナット本体に該緩み止めナット本体の軸心に対して直角な面内で該緩み止めナット本体の外周面側より内周面側に延びて該内周面を突き抜けるスリットを円周方向に複数個設けてやることによって各スリットの幅方向の両側を枠板状の連結部とし、該両側の連結部のうち前記押し付け側側面の方の押し側連結部を変形可能な肉厚とし、前記自由側側面の方の自由側連結部は前記押し側連結部よりも厚肉とすると共に、各自由側連結部に前記緩み止めナット本体の軸心と平行に少なくとも１個のねじ孔を設け、該ねじ孔に押しねじを設けたことを特徴とする転がり軸受け用緩み止めナット。
【請求項２】
一対の回転軸を備え、該一対の回転軸の一方の回転軸には円筒状の丸刃が組み込まれ、他方の回転軸には薄丸刃が皿ばね等の付勢手段と一緒に装着されている刃物ホルダーが組み込まれているスリッター装置であって、前記一方の回転軸と前記他方の回転軸とを平行に配置し、前記円筒状の丸刃の刃先と前記薄丸刃の刃先とを所定の量だけ重なり合わせると共に、相対的に軸心方向に押し込むことによって所定の側圧で刃先同士を押接させながら回転させて被切断ウエブをスリットするスリッター装置において、前記一方の回転軸と前記他方の回転軸のそれぞれの軸の左右両端側近傍の所定の軸段部に組み込まれている左右の転がり軸受けのうち少なくとも一方の転がり軸受けが請求項１に記載の転がり軸受け用緩み止めナットによって締着されていることを特徴とするスリッター装置。
【発明の詳細な説明】
【０００１】
【発明が属する技術分野】
本発明は例えば工作機械やスリッター装置等の回転軸の所定の軸段部に組み込まれている転がり軸受けの内輪をその所定の軸段部に締着するのに用いられる転がり軸受け用緩み止めナットに関し、特に「回転軸においてその回転軸の軸心と直角な面内にあって工具等の組み込み基準面となる軸段部の側面の軸心方向への振れ」（以下、「工具組み込み軸段部側面のスラスト振れ」と記述する）の精度が極めて高く求められる装置に組み込まれている転がり軸受けの内輪をその所定の軸段部に締着するときに用いて有効な転がり軸受け用緩み止めナットに関するものである
【０００２】
【従来の技術】
このような転がり軸受け用緩み止めナットは中空状円板のナット本体の内周面に雌ねじを有し、回転軸に設けられた雄ねじに螺合され、少なくとも１個、或いは、複数個並べられた転がり軸受けの内輪を回転軸に設けられている軸段部側面に押し付けてその転がり軸受けを回転軸の所定の軸部に締着固定するものである。この転がり軸受け用緩み止めナットの従来技術としては、特開平７−２６９５５０号公報、実開平３−１２３１２１号公報、実開昭５６−４０２１９号公報、に記載されたものが知られている。
【０００３】
前記の特開平７−２６９５５０号公報に示されている転がり軸受け用緩み止めナットは図７に示すように、厚い第１ナット５０と薄い第２ナット５１によって構成されている転がり軸受け用緩み止めナット１であり、先ず第１ナット５０で所定通り転がり軸受け２１の内輪を回転軸２０に設けられている軸段部に締め付けた後、第２ナット５１を螺合して第１ナット５０との間に理想の緩み止め力が生じる締め代相当の隙間δが得られるようにねじ孔１１とボルト孔５２の位相を所定角度ずらした状態で締付けボルト５３を取り付け、その後締付けボルト５３で第１ナット５０と第２ナット５１を隙間なく締付けて緩み止め力を付与するようにしたものである。
【０００４】
また実開平３−１２３１２１号公報に示されている転がり軸受け用緩み止めナットは図８に示すように、円筒状の緩み止めナット本体２の内周面５及び外周面６に内周溝５４及び外周溝５５を設けるようにした転がり軸受け用緩み止めナット１であり、内周溝５４が押し付け側側面３より自由側側面４に近い位置で外周面６の近くまで深く切り込まれるようにし、また外周溝５５が内周溝５４に隣接した位置で内周面５の近くまで深く切り込まれるようにすると共に、緩み止めナット本体２の軸心方向に緩み止めナット本体２を貫通するボルト孔５２を複数個穿孔して複数個のボルト孔５２がそれぞれ外周溝５５及び内周溝５４と交差するように構成し、締付けボルト５３を締め付けることによって緩み止めを行なうようにしたものである。
【０００５】
次に前記の実開昭５６−４０２１９号公報に示されている転がり軸受け用緩み止めナットは図９に示すように、軸方向に直角な環状溝５９をねじ部に設けて押し付け側側面の方の部分６０と自由側側面の方の部分６１とにねじ部を分離した転がり軸受け用緩み止めナット１であり、押し付け側側面の方の部分６０のねじ長さが自由側側面の方の部分６１のねじ長さより短くなっており、自由側側面の方の部分６１に環状溝５９まで貫通する複数のねじ孔１１を有し、この各ねじ孔１１に螺合された押しねじ１２の先端部を押し付け側側面の方の部分６０の環状溝５９の側面に当接させて緩み止めを行なうようにしたものである。
【０００６】
【発明が解決しようとする課題】
しかしながら、図７及び図８に示した従来の転がり軸受け用緩み止めナット１はいずれもが緩み止め効果は十分に発揮されるが、転がり軸受け２１の内輪の側面を緩み止めナットの側面の円周全体で押し付けるようになっているので回転軸の雄ねじと緩み止めナットの雌ねじが如何に精度良く仕上げ加工されていたとしても双方の側面間での微小な偏当たり状態を回避することは不可能であり、また転がり軸受けの内輪側面への押し付け力を円周方向の所定の位置で微調整することもできないので回転軸の「工具組み込み軸段部側面のスラスト振れ」をサブμｍオーダーで調整することは到底不可能であった。
【０００７】
また図９に示した従来の軸受け用緩み止めナット１は円周等配位置に設けられている複数の押しねじ１２によってその緩み止めナットの押し付け側側面３を転がり軸受け（図示せず）の内輪の側面へ押し付けるようになっているので、側面間での荷重の調整は比較的簡単に行なうことが出来るが、緩み止めナットの押し付け側側面の方の部分６０は円周方向で一様な肉厚で連続している中空円板状に近い形となっているので１つの押しねじ１２を押し込むことによってその押しねじ１２の両側にある押しねじ部分も倣って押し込み方向に若干動くことになり、それら両側の押しねじ部に狂いが生じ、それら両側の押しねじの再度の締付け調整を余儀なくされ、その繰り返しとなってしまうので、サブμｍオーダーで回転軸の「工具組み込み軸段部側面のスラスト振れ」を調整しようとするときには各止めねじ１２を何度も調整し直さなければならず、調整作業はかなり煩雑なものとなってしまうという問題があった。
【０００８】
本発明は、上述したような従来技術の問題点を解決するためになされたものであり、回転軸の所定の軸段部に組み込まれた転がり軸受けの内輪を締着した後の緩み止め効果が十分に発揮され、その上、軸心と平行な方向への押し込み力の調整をそれぞれの部分毎に行なうことが出来、しかも他の調整部分には影響を与えることのない形状とされ、それ故に容易に回転軸の「工具組み込み軸段部側面のスラスト振れ」をサブμｍオーダーで調整することが出来るようになる転がり軸受け用緩み止めナットを提供することを目的としている。また、この転がり軸受け用緩み止めナットを用いた極めて高精度のスリッター装置を提供することをも目的としている。
【０００９】
【課題を解決するための手段】
本発明は上述の目的を達成するためになされたものであり、その第１の発明は、内周面に雌ねじが設けられている中空状円板の一方の側面が押し付け側側面とされ、他方の側面が自由側側面とされている緩み止めナット本体からなる転がり軸受け用緩み止めナットにおいて、前記緩み止めナット本体にその緩み止めナット本体の軸心に対して直角な面内でその緩み止めナット本体の外周面側より内周面側に延びて内周面を突き抜けるスリットを円周方向に複数個設けてやることによって各スリットの幅方向の両側を枠板状の連結部とし、その両側の連結部のうち押し付け側側面の方の押し側連結部を変形可能な肉厚とし、自由側側面の方の自由側連結部は押し側連結部よりも厚肉とすると共に、各自由側連結部に前記緩み止めナット本体の軸心と平行に少なくとも１個のねじ孔を設け、そのねじ孔に押しねじを備えた転がり軸受け用緩み止めナットとする。
【００１０】
本発明の転がり軸受け用緩み止めナットによれば、緩み止めナット本体の外周面側より内周面側に抜けるスリットを円周方向に複数個設け、そのスリットの幅方向の両側を枠板状の連結部としたので、各連結部は円周方向で隣り合うスリットとスリットとの間に残された本体肉部によって関係が断たれ、それぞれの連結部の変形は両隣りの連結部には影響を及ぼさない形状となっている。
【００１１】
そして、そのスリットの両側の連結部のうち押し側連結部を変形可能な厚さとし、他方の自由側連結部はそれよりも厚肉としてその自由側連結部に設けられたねじ孔に押しねじを螺合して押し側連結部を内側から押すように構成したことにより各押し側連結部にはそれぞれ独立して押し付け力を与えることが出来るので、回転軸の「工具組み込み軸段部側面のスラスト振れ」の調整がサブμｍオーダーで可能になる。また、緩み止め効果も十分に得ることが出来る。
【００１２】
第２の発明は、一対の回転軸を備え、その一対の回転軸の一方の回転軸には円筒状の丸刃が組み込まれ、他方の回転軸には薄丸刃が皿ばね等の付勢手段と一緒に装着されている刃物ホルダーが組み込まれているスリッター装置であって、前記一方の回転軸と他方の回転軸とを平行に配置し、円筒状の丸刃の刃先と薄丸刃の刃先とを所定の量だけ重なり合わせると共に、相対的に軸心方向に押し込むことによって所定の側圧で刃先同士を押接させながら回転させて被切断ウエブをスリットするスリッター装置において、前記一方の回転軸と他方の回転軸のそれぞれの軸の左右両端側近傍の所定の軸段部に組み込まれている左右の転がり軸受けのうち少なくとも一方の転がり軸受けが請求項１に記載の転がり軸受け用緩み止めナットによって締着されているスリッター装置としたものである。
【００１３】
本発明のスリッター装置によれば、サブμｍオーダーで回転軸の「工具組み込み軸段部側面のスラスト振れ」を調整することが出来る転がり軸受け用緩み止めナットを上下の丸刃回転軸に用いたので、上下の回転軸の一方の回転軸に組み込まれている円筒状の丸刃の刃先の振れと他方の回転軸に組み込まれている薄丸刃の刃先の振れとをサブμｍオーダーに抑えることが出来るようになるので、映像用フイルムやコンピューターのバックアップ用磁気テープ等のようにスリット精度がμｍオーダーで要求されるウエブ類をスリットするための超精密スリッター装置が得られるようになる。
【００１４】
【発明の実施の形態】
以下本発明の実施の形態について図１乃至図３を参照しながら説明する。図１は本発明を適用してなる転がり軸受け用緩み止めナットの一実施の形態を示す正面図、図２は図１の側面図で一部を断面で示した図、図３は図２におけるＡ−Ａ矢視の断面図である。図において、内周面５に雌ねじ５ａが設けられている中空円板状の緩み止めナット本体２は一方の側面が転がり軸受けの内輪の側面、或いは間に介在しているスペーサの側面を押すための押し付け側側面３とされ、他方の側面が自由側側面４とされている。
【００１５】
緩み止めナット本体２にはその緩み止めナット本体２の軸心に対して直角な面内で外周面６側より内周面５側に延びてその内周面５を突き抜けるスリット７がスリット７とスリット７との間に所定幅の本体肉部１０を残して円周方向に複数個設けられており、スリット７によってそのスリット７の幅方向の両側には枠板状の押し側連結部８と自由側連結部９が形成されている。また、そのスリット７は押し側連結部８が変形可能な肉厚となり、自由側連結部９が押し側連結部８より厚肉となるように設けられている。
【００１６】
そして、各自由側連結部９には緩み止めナット本体２の軸心と平行にねじ孔１１が設けてあり、そのねじ孔１１には押し側連結部８の内側の側面を押すための押しねじ１２が取り付けられており、緩み止めナット本体２と所定の数の押しねじ１２とによって転がり軸受け用緩み止めナット１とされている。また、緩み止めナット本体２の外周面６には緩み止めナット本体２を回し締めするための切り溝１３が設けてあり、押し付け側側面の外周側には転がり軸受けの玉保持器や外輪側面への接触を回避するための逃げ段部１４が設けてある。
【００１７】
このように構成された転がり軸受け用緩み止めナット１を図４に示すように回転軸２０に設けられている雄ねじ２０ｂに組み込んでやり、回転軸２０の所定の軸段部に組み込まれている転がり軸受け２１の内輪の側面、或いは間にスペーサ２２が介在されているときにはそのスペーサ２２の側面に対して緩み止めナット本体２の外周に設けられている切り溝１３を利用して普通の方法で押し付けてやる。このとき、緩み止めナット本体２の自由側連結部９に取り付けられている押しねじ１２の先端は押し側連結部８の内側側面に接触しないように少し離しておく。
【００１８】
次に、各押しねじ１２を押し側連結部８の内側側面に接触させた後、各押しねじ１２を所定の量だけねじ込んでやることにより押し側連結部８に力を加えると同時に自由側連結部９を反力によってスリット７が広がる方向に引いてやり、押し側連結部８の雌ねじと自由側連結部９の雌ねじとの張りによって、緩み止めナット本体２を回転軸２０の雄ねじ２０ｂに強力に固定して回り止め効果を得る。
その後回転軸２０の「工具組み込み軸段部側面のスラスト振れ」Ｓ−Ｓをダイヤルゲージ等の測定器具によって測定しながらそのスラスト方向の振れを修正するのに必要とされる部分の押しねじ１２を必要な量だけ押し込みながら「工具組み込み軸段部側面のスラスト振れ」を取り除いてゆく。
【００１９】
ここで、上述した実施の形態においては、緩み止めナット本体２の円周方向の４箇所にスリット７を設けて押し側連結部８及び自由側連結部９をそれぞれ４個とし、それぞれの自由側連結部９には２個の押しねじ１２を備えた転がり軸受け用緩み止めナット１について説明したが、円周方向でのスリット７の数や自由側連結部９に設けられる押しねじ１２の数はこの実施の形態に限定されるものでなく、例えば図５に一部断面図で示すように緩み止めナット本体２の円周方向の６箇所にスリット７を設け、各自由側連結部９にはそれぞれ１個の押しねじ１２を備えるようにした転がり軸受け用緩み止めナット１とすることも出来る
【００２０】
図６は、前記の転がり軸受け用緩み止めナット１を上下の回転軸に用いた本願の第２の発明に係るスリッター装置３０の要部を示す図であり図において上側基準プレート３７の所定の位置にボルトにより固定されている左右の上軸受け箱３９ａ、３９ｂ、にはそれぞれスリーブユニット４１ａ、４１ｂ、が組み込まれており、各スリーブユニット４１ａ、４１ｂ、に内嵌されている少なくとも各１個の転がり軸受け２１、２１によって上回転軸３１が回転自在に支持されており、その上回転軸３１の刃物取り付け軸部３１ａには薄丸刃３３とその薄丸刃３３を軸心方向の一方向に付勢するための皿ばね３４とを段部に嵌装している刃物ホルダー３６が所定の数だけ同一方向を向いて連続して組み込まれている。また、同様に下側基準プレート３８の所定の位置にボルトにより固定されている左右の下軸受け箱４０ａ、４０ｂ、にはそれぞれスリーブユニット４２ａ、４２ｂが組み込まれており、各スリーブユニット４２ａ、４２ｂ、に内嵌されている少なくとも各１個の転がり軸受け２１，２１によって下回転軸３２が回転自在に支持されており、その下回転軸３２の刃物取り付け軸部３２ａには一方の側面の外周側に逃げ段部４３を備えている円筒状の丸刃３５が刃先を同一方向に向けて所定の数だけ連続して組み込まれ、この円筒状の丸刃３５の刃先と薄丸刃３３の刃先とによってフイルム等の被切断ウエブを所定の条数でスリットすることができるようになっている。
【００２１】
そして、このスリッター装置３０においては各スリーブユニット４１ａ、４１ｂ、４２ａ、４２ｂ、に内嵌されている転がり軸受け２１を上下の各回転軸３１、３２の所定の組み込み軸段部に締め付け固定するための転がり軸受け用緩み止めナット１として前記した本願第１発明の転がり軸受け用緩み止めナットが用いられ、各回転軸３１、３２、の「工具組み込み軸段部側面のスラスト振れ」はサブμｍオーダーで調整されている。
【００２２】
尚、上下各回転軸３１、３２、の刃物取り付け軸部３１ａ、３２ａ、に組み込まれる刃物ホルダー３６や円筒状の丸刃３５の内径、及び刃物押さえユニット４４の内径は刃物挿入側（図面上では右側）のスリーブユニット４１ｂ、４２ｂ、の外径よりも大きい寸法とされているので刃物挿入側の軸受け箱３９ｂ、４０ｂ、を外すことによって刃物ホルダー３６や円筒状の丸刃３５の組み込みが行えるようになっている。
【００２３】
【発明の効果】
本発明の転がり軸受け用緩み止めナットによれば、回転軸の軸段部に組み込まれている転がり軸受けの内輪を締着した後の緩み止め効果が十分に発揮され、その上軸心と平行な方向への押し込み力の調整がそれぞれの押し側連結部ごとで行なうことが出来、それが他の押し側連結部には影響を及ぼさないので回転軸の「工具組み込み軸段部側面のスラスト振れ」をサブμｍオーダーで調整することが可能になり、回転軸の「工具組み込み軸段部側面のスラスト振れ」の精度を飛躍的に向上させることが出来るようになる。また、この転がり軸受け用緩み止めナットをスリッター装置に組み込まれている転がり軸受けを締着する緩み止めナットとして採用することにより、上下の回転軸に組み込まれている円筒状の丸刃や薄丸刃の刃先のスラスト方向の振れも容易にサブμｍオーダーに抑えることが出来るようになるので被切断ウエブのスリット精度をμｍオーダーで仕上げることが可能になる。
【図面の簡単な説明】
【図１】本発明を適用してなる転がり軸受け用緩み止めナットの一実施の形態を示す正面図である。
【図２】図１の側面図で一部を断面で示した図である。
【図３】図２におけるＡ−Ａ矢視の断面図である。
【図４】本発明を適用してなる転がり軸受け用緩み止めナットを回転軸に組み付けた状態を示す図である。
【図５】本発明を適用してなる転がり軸受け用緩み止めナットの別の実施の形態を示す正面図である。
【図６】本願の第２の発明に係るスリッター装置の一実施の形態を示す概略図である。
【図７】従来の転がり軸受け用緩み止めナットを示す図である。
【図８】従来の転がり軸受け用緩み止めナットを示す図である。
【図９】従来の転がり軸受け用緩み止めナットを示す図である。
【符号の説明】
１  転がり軸受け用緩み止めナット
２  緩み止めナット本体
３  押し付け側側面
４  自由側側面
５  内周面
６  外周面
７  スリット
８  押し側連結部
９  自由側連結部
１０  本体肉部
１１  ねじ孔
１２  押しねじ
３０  スリッター装置
３１  上回転軸
３２  下回転軸
３３  薄丸刃
３４  皿ばね
３５  円筒状の丸刃
３６  刃物ホルダー
３９ａ、３９ｂ  上軸受け箱
４０ａ、４０ｂ  下軸受け箱
４１ａ、４１ｂ  スリーブユニット
４２ａ、４２ｂ  スリーブユニット
４４  刃物押えユニット
【図１】
2004169868.tif 000003
【図２】
2004169868.tif 000004
【図３】
2004169868.tif 000005
【図４】
2004169868.tif 000006
【図５】
2004169868.tif 000007
【図６】
2004169868.tif 000008
【図７】
2004169868.tif 000009
【図８】
2004169868.tif 000010
【図９】
2004169868.tif 000011